(57)【要約】【課題】本発明の目的は、対となった軒樋止まり部材を対となった数量を維持して梱包、輸送できる軒樋止まりを提供する。【解決手段】非対称形断面の軒樋の両端部に嵌合固着される一対の軒樋止まり１であって、一方の軒樋止まり２の周壁部２１にリング状の被係止部２５が設けられ、他方の軒樋止まり３の周壁部３１に鉤状の係止部３５が設けられ、該係止部３５が一方の軒樋止まり２の被係止部２５に取り外し可能に係止されて可動連結されている。【選択図】  図１
2004308279.tif 000002
【特許請求の範囲】
【請求項１】
非対称形断面の軒樋の両端部に嵌合固着される一対の軒樋止まりであって、一方の軒樋止まりの周壁部に被係止部が設けられ、他方の軒樋止まりの周壁部に係止部が設けられ、該係止部が前記一方の軒樋止まりの被係止部に取り外し可能に係止されて可動連結されていることを特徴とする軒樋止まり。
【請求項２】
一方の軒樋止まりの前面側周壁部または後面側周壁部にリング状の被係止部が設けられ、他方の軒樋止まりの前面側周壁部または後面側周壁部に鉤状の係止部が設けられていることを特徴とする請求項１記載の軒樋止まり。
【発明の詳細な説明】
【０００１】
【発明の属する技術分野】
本発明は、非対称形断面の軒樋の両端部に嵌合固着される一対の軒樋止まりに関する。
【０００２】
【従来の技術】
従来から一般に、軒樋止まり部材は軒樋の端部に嵌合固着されて、該軒樋の端部を閉塞し、軒樋の端部から雨水が流出するのを防止するものとして周知である。
軒樋が断面円弧状等の対称形断面のものであれば、軒樋の両端部を閉塞する軒樋止まり部材は同一形状のものでよいが、軒樋の断面形状が非対称形断面のもの、例えば、最近よく使用されている前面部が高く、後面部が低い角形の軒樋等においては、軒樋の両端部における軒樋止まり部材の形状として一対の対称形のものが必要となる。
したがって、断面形状が非対称形断面の軒樋の止まり部材としては、対となった軒樋止まりが必要となり、軒樋の設置現場に搬入する軒樋止まり部材は、対となった軒樋止まりが同数づつ梱包されていなければならない。
【０００３】
しかしながら、非対称形の軒樋止まりは、外形状は殆ど同じであるため、梱包時に対となった軒軒樋止まりを同数づつ数えて梱包しても、作業員の見間違いや計数間違いで、同数づつ梱包されていないことがしばしば生じる。
同数づつ梱包されていないと、余分な個数の軒樋止まりを持ち込んでいない場合には、軒樋設置現場で一方の軒樋止まりに不足を生じ、軒樋の施工を中断しなければならなくなる不都合が生じ、建物の建設スケジュールに重大な支障を来すこととなる。
また、施工現場で一方の軒樋止まりが余ると、使用できないため廃棄されることになり、資材の無駄となる。
【０００４】
そこで、対となる軒樋止まり部材を連結したセットに形成することにより、上記の不都合を解消したものとして、「対となる軒樋止まり部材が接続片を介して合成樹脂で一体に形成された止まりセットであって、両軒樋止まり部材をその上端縁同志が対向するように配設し、同軒樋止まり部材の上端縁内側面に補強リブを突設し、該補強リブに接続片の端部を一体に形成してなる止まりセット。」が提案されている（例えば、特許文献１参照）。
【０００５】
【特許文献１】
特開２００１−１８２２３９号公報  （第１〜５頁、図１〜６）
【０００６】
【発明が解決しようとする課題】
上記特許文献１記載の樋止まりセットにおいては、軒樋の設置現場で、樋止まり部材と接続片とを止まり部材の近辺で切断して、軒樋の両端部に対として使用される。
このため補強リブに結合される接続片の端部を細径部として形成して切断し易いようになされているが、切断し易い反面、製造時、梱包時、輸送時等に細径部が自動的に破壊分離してしまう欠陥が生じる。
【０００７】
この欠陥を解消するためには、製造時には細径部に外力が掛からないように、射出成形金型として多数の突き出しピンを備えたものを使用しなければならず、金型が複雑となって金型製作費が高価となる。また、金型からの取り出し時に衝撃で分離しないように特別な取り出し方法が必要になる。
また、梱包時には、細径部が破壊分離しないように丁寧に取り扱わなければならないため梱包作業が能率的に行えないし、輸送時の振動や衝撃に耐えるものとするためには、緩衝材を使用して梱包しなければならない。等々の新たな問題点が発生する。本発明の目的は、対となった軒樋止まりを対となった数量を維持して梱包、輸送できる軒樋止まりを提供するものである。
【０００８】
【課題を解決するための手段】
請求項１記載の発明は、非対称形断面の軒樋の両端部に嵌合固着される一対の軒樋止まりであって、一方の軒樋止まりの周壁部に被係止部が設けられ、他方の軒樋止まりの周壁部に係止部が設けられ、該係止部が前記一方の軒樋止まりの被係止部に取り外し可能に係止されて可動連結されているものである。
【０００９】
このように一方の軒樋止まりの周壁部に被係止部が設けられ、他方の軒樋止まりの周壁部に係止部が設けられているので、それぞれの軒樋止まりを別々に製造し、梱包時に、一方の軒樋止まりの被係止部に他方の樋止まりの係止部を係止し、連結しながら、段ボール箱に詰めていけばよい。
【００１０】
また、必ず被係止部と係止部が対となって係止されるので、同数づつの樋止まりが梱包され、梱包作業が容易になり、セットミスが防止できる。
そして、被係止部と係止部が可動連結されているため、輸送時や保管時に軒樋止まりセット接続部への応力集中が緩和され、破損による外観不良が防止できる。
【００１１】
また、請求項２記載の発明は、請求項１記載の軒樋止まりであって、一方の軒樋止まりの前面側周壁部または後面側周壁部にリング状の被係止部が設けられ、他方の軒樋止まりの前面側周壁部または後面側周壁部に鉤状の係止部が設けられているものである。
【００１２】
このように、一方の軒樋止まりの前面側周壁部または後面側周壁部にリング状の被係止部が設けられ、他方の軒樋止まりの前面側周壁部または後面側周壁部に鉤状の係止部が設けられているので、被係止部及び係止部の設置される位置と、被係止部であるリング部及び係止部である鉤部の形状を見ることにより、更にセットミスが防止でき、梱包作業が容易になる。
また特に、係止部、被係止部が後面側壁部に設けられた場合、後で係止部、被係止部を除去した跡も目立つことなく好都合である。
【００１３】
【発明の実施の形態】
次に、本発明の実施の形態を実施例に基づき図面を参照して説明する。図１は本発明の軒樋止まりの一実施例を示す正面図、図２は図１における右側の軒樋止まりを示す斜視図、図３は被係止部と係止部を係止する前の状態を示す部分説明図である。
【００１４】
図で、１は一対の樋止まりで、建物に取付けられる軒樋に対して外側から見て、左端部に取り付けられる左軒樋止まり２と、右端部に取り付けられる右軒樋止まり３とが、軒樋の後面側となる周壁部２１と周壁部３１を対向させて対称となるように配置され、左軒樋止まり２の周壁部２１に設けられたリング状の被係止部２５に、右軒樋止まり３の周壁部３１に設けられた鉤状の係止部３５が取り外し可能に係止されて可動連結されている。
【００１５】
左軒樋止まり２と右軒樋止まり３とは、係止部３５、被係止部２５以外の部分は対称形に形成されている。
２３と３３は軒樋の前面側の周壁部、２２と３２は底面側の周壁部、２４と３４は軒樋の上方側の周壁部であり、軒樋の後面側の周壁部２１と３１とで、軒樋止まり２、３の周縁に連続した周壁部が形成されている。
２８、３８は膨出部で、この膨出部２８および３８の周縁と周壁部２１、２２、２３および周壁部３１、３２、３３との間に軒樋の端面形状に対応した間隙が形成されていて、軒樋の端部に、この軒樋止まり２および３をその間隙に挿入嵌合して取り付けられる。接着剤を塗布して挿入嵌合すると強固に取り付けることができる。
図１で一点鎖線で示されているのが軒樋であって、この軒樋は前面側の中間部に補強と装飾用の中空膨出部を有し、前面側と後面側の上端部には四角形の中空耳部が形成されている。
左樋止まり２と右樋止まり３の後面側周壁部２１、３１と前面側周壁部２３、３３の上端部には、上記軒樋の四角形の中空耳部を保持する耳保持部２９、３９が形成されている。
【００１６】
これらの左軒樋止まり２および右軒樋止まり３は合成樹脂例えば塩化ビニール樹脂の射出成形により成形され、段ボール箱に入れて梱包され、出荷される。
本発明の軒樋止まりには、衝撃により破損する部分は存在しないので、射出成形時に特別な金型や取り出し装置を必要とせず、通常の金型と取り出し方法で成形できる。リング状の被係止部２５は金属製であり、左軒樋止まり２の後面側周壁部２１の外側に向けて設けられる。
また、鉤状の係止部３５も金属製であり、右軒樋止まり３の後面側周壁部３１の外側に向けて設けられる。
また、梱包時には、左軒樋止まり２の被係止部２５のリング部に、右軒樋止まり３の係止部３５の鉤部を係止させて連結しながら、段ボール箱に積み重ねて収容される。梱包時に連結しながら収容することにより、左軒樋止まり２と右軒樋止まり３とが必然的に対となって収容される。
【００１７】
本発明の軒樋止まりを使用するに当たっては、施工現場で対となった軒樋止まりを取り出し、左軒樋止まり２の被係止部２５のリング部から右軒樋止まり３の係止部３５の鉤部を外すことにより分離して、軒樋の両端部に装着すればよい。被係止部２５と係止部３５が軒樋の後面側に残ることになるが、軒樋と外壁の間になるため、目立つことがなく、外観品質が良好である。
【００１８】
また、リング状の被係止部２５と鉤状の係止部３５とは、対となる軒樋止まりの対向する周壁部に設けられていればよく、リング状の被係止部２５が右軒樋止まり３に設けられ、鉤状の係止部３５が左軒樋止まり２に設けられていてもよい。
更に、被係止部２５と係止部３５をともに鉤状のものとしてもよい。また、被係止部２５と係止部３５を合成樹脂製としてもよく、その際軒止まりと一体に成形するのがよい。
【００１９】
【発明の効果】
本発明の請求項１記載の軒樋止まりは、上述した通りに構成され、一方の軒樋止まりの周壁部に被係止部が設けられ、他方の軒樋止まりの周壁部に係止部が設けられているので、それぞれの軒樋止まりを別々に製造し、梱包時に、一方の軒樋止まりの被係止部に他方の軒樋止まりの係止部を係止して連結しながら、段ボール箱に詰めていけばよい。左右双方の軒樋止まりを連結する動作が入るという簡単な梱包作業の変更のみで、軒樋の左右両端部に対として装着使用される軒樋止まりを左右同数づつ、間違うことなく梱包することができる。
また、製造時、梱包輸送時の衝撃や振動による影響もなく、特殊な製造法、梱包方法を必要としない。
【００２０】
また、請求項２記載の軒樋止まりは、一方の軒樋止まりの前面側周壁部または後面側周壁部にリング状の被係止部が設けられ、他方の軒樋止まりの前面側周壁部または後面側周壁部に鉤状の係止部が設けられているので、被係止部及び係止部の設置される位置と、被係止部であるリング部及び係止部である鉤部の形状を見ることにより、更にセットミスが防止でき、梱包作業が容易になる
【図面の簡単な説明】
【図１】本発明の軒樋止まりの一実施例を示す正面図である。
【図２】図１の右側軒樋を示す斜視図である。
【図３】図１の係止する前の係止部と被係止部を示す説明図である。
【符号の説明】
１      一対の軒樋止まり
２      左軒樋止まり
３      右軒樋止まり
２１、３１    軒樋の後面側周壁部
２２、３２    軒樋の底面側周壁部
２３、３３    軒樋の前面側周壁部
２４、３４    軒樋の上面側周壁部
２５    被係止部
３５    係止部
【図１】
2004308279.tif 000003
【図２】
2004308279.tif 000004
【図３】
2004308279.tif 000005